(57)【特許請求の範囲】
【請求項１】
片仮名、平仮名又はアルファベットの一文字から形作られる凸字画部分（１２）とこれを除く胴体部分（Ｂ）とが、有床義歯（Ａ）のレジン床（１０）と着色カラーのみが異なる同じ材質のアクリル樹脂やスルフォン樹脂、その他の適当な熱可塑性樹脂から予じめ一体成形されたネーム付与用活字（Ｐ）の複数個を、
上記レジン床（１０）における装着使用時の目視困難となる部位へ、その凸字画部分（１２）が並列する状態として直かに埋設一体化した上、そのレジン床（１０）から張り出し残存する上記胴体部分（Ｂ）を削除して、
上記レジン床（１０）から組み合わせ表出されることとなる凸字画部分（１２）の複数個により、肉眼での判読可能な持ち主のネーム（Ｎ）を付与したことを特徴とする有床義歯。
【請求項２】
組み合わせ表出されることになるネーム付与用活字（Ｐ）の複数個を、有床義歯（Ａ）のレジン床（１０）と着色カラーのみが異なる同じ材質のアクリル樹脂から予じめ成形準備しておき、
先ず、蝋義歯（Ｗ）のパラフィンワックス床（１６）を部分的に加熱軟化させて、その部位へ上記活字（Ｐ）の凸字画部分（１２）を並列設置状態に埋め込み定着し、
その後、上記蝋義歯（Ｗ）の埋没工程、流蝋工程並びに加熱レジン重合工程を経由することにより、そのパラフィンワックス床（１６）と置換されたレジン床（１０）から張り出し残存することになる上記活字（Ｐ）の胴体部分（Ｂ）を、最終的な研磨加工により悉く削除して、
その義歯（Ａ）のレジン床（１０）から上記活字（Ｐ）の凸字画部分（１２）だけを表出させることを特徴とする有床義歯へのネーム付与方法。
【請求項３】
組み合わせ表出されることになるネーム付与用活字（Ｐ）の複数個を、有床義歯（Ａ）のレジン床（１０）と着色カラーのみが異なる同じ材質のアクリル樹脂又はスルフォン樹脂から予じめ成形準備しておき、
先ず、完成義歯（Ａ）のレジン床（１０）へ活字埋込み凹溝（２３）を部分的に穿設して、その内部へ常温での即時重合レジン（２４）を充填するとほぼ同時に、上記活字（Ｐ）の凸字画部分（１２）を並列設置状態に埋め込み定着させ、上記レジン床（１０）から張り出し残存することになる活字（Ｐ）の胴体部分（Ｂ）を、その即時重合レジン（２４）の冷却硬化後、研磨加工により悉く削除して、
その義歯（Ａ）のレジン床（１０）から上記活字（Ｐ）の凸字画部分（１２）だけを表出させることを特徴とする有床義歯へのネーム付与方法。
【請求項４】
ネーム付与用活字（Ｐ）の複数個に共通する１個のステッキワックス製活字支持棒（２５）へ、その複数個の胴体部分（Ｂ）を予じめ並列設置状態に植え付けておくことにより、
上記複数個の活字（Ｐ）における凸字画部分（１２）をレジン床（１０）の活字埋込み凹溝（２３）内へ、一挙同時に埋め込み定着させることを特徴とする請求項３記載の有床義歯へのネーム付与方法。
【請求項５】
レジン床（１０）への埋込み深さ規制板（１１）と、これから後向きに一定高さ（Ｈ１）だけ突出する片仮名、平仮名又はアルファベットの一文字と、同じく埋込み深さ規制板（１１）から前向きに、その一文字よりも背高い一定高さ（Ｈ２）だけ突出する把手（１３）と、その把手（１３）の根元部から横向きに一定長さ（Ｌ）だけ突出する文字方向性の指定マーク片（１４）とが、上記レジン床（１０）と着色カラーのみが異なる同じ材質のアクリル樹脂やスルフォン樹脂、その他の適当な熱可塑性樹脂から一体成形されており、
上記一文字を凸字画部分（１２）として、有床義歯（Ａ）のレジン床（１０）へ埋め込む一方、その余の上記埋込み深さ規制板（１１）と把手（１３）並びに指定マーク片（１４）を同じくレジン床（１０）から張り出し残存することになる胴体部分（Ｂ）として、悉く研磨加工により削除するように定めたことを特徴とする有床義歯へのネーム付与用活字。
【請求項６】
レジン床（１０）への埋込み深さ規制板（１１）から凸字画部分（１２）が、悉く同じ片仮名、平仮名又はアルファベットの一文字づつとして突出する複数個を、その埋込み深さ規制板（１１）の隣り合う相互間においてのみ折り取り分割できる枢支連結状態に成形したことを特徴とする請求項５記載の有床義歯へのネーム付与用活字。
【発明の詳細な説明】
【０００１】
【発明の属する技術分野】
本発明は有床義歯とこれへのネーム付与方法並びにネーム付与用活字に関し、殊更歯科技工所に常備されているありふれた機械器具を使用しての慣れた手作業により、有床義歯へ持ち主のネームを付与できるように工夫したものである。
【０００２】
【従来の技術】
一般に、有床義歯は歯科医院と技工所との往復的な協働作業によって製作されているが、これには持ち主のネームが付与されていないため、例えば老人ホームでの置き忘れや、技工所から歯科医院への納品ミスなどが発生したような場合、義歯の持ち主をすばやく特定・識別することができず、その持ち主の日常生活のみならず、歯科医院や技工所での必要な製作作業にとっても、甚だ不便である。
【０００３】
この点、意識不明になった老人や事故死した老人の身元確認に役立てる目的のため、その老人のネームや血液型、電話番号、住所などの各種識別情報を義歯床に付与する公知技術として、実用新案登録第３０８０１３３号や特開平７−１２４１８０号が提案されており、これらは義歯床にネームを付与する趣旨も含む点で、本発明と相共通している。
【０００４】
【発明が解決しようとする課題】
しかし乍ら、前者の公知考案は既製の完成義歯（１）を対象として、その義歯床（１Ａ）へ所謂後付け式に情報記載片（２）を埋め込むものであり、しかも情報記載片（２）が義歯床（１Ａ）と異なる材質のフィルム（２Ｂ）や金属板（２Ｄ）から成るため、親和性に劣り、仮令透明レジン（１Ｄ）を用いて被覆したとしても、耐久的な固定強度を保つことができない。
【０００５】
又、情報記載片（２）を作成するに当っても、パソコンの活用により、フィルム（２Ｂ）に文字や記号、写真などの情報（２Ａ）を印刷した後、そのフィルム（２Ｂ）を拡大又は縮小して、更にラミネート加工（２Ｃ）を施したり、或いはフィルム（２Ｂ）に代る金属板（２Ｄ）へ、情報（２Ａ１）を刻設又は打設したりする必要がある。
【０００６】
これらの諸作業は、通常行なわれている歯科技工作業と全く異質であって、非常に煩らわしく、その情報記載片（２）を安価に作成し難いほか、これを義歯床（１Ａ）へ付与するためにだけ使う特別なパソコンやラミネーター、彫刻機なども調達しなければならない。
【０００７】
更に、情報（２Ａ）が印刷されたフィルム（２Ｂ）を縮小すると、義歯（１）の持ち主（老人）において、その情報（２Ａ）を肉眼で判読することが困難となる一方、仮りにフィルム（２Ｂ）を縮小したとしても、これから作成されている情報記載片（２）は、そのフィルム（２Ｂ）の余白部分も含む大きさを有する図６のようなラミネート加工状態として、義歯床（１Ａ）へ埋め込まれるようになっているため、小型化に自づと限界がある。
【０００８】
その埋め込まれた情報記載片（２）の全体が、透明レジン（１Ｄ）を通じて目視されることとも相俟ち、義歯（１）を口腔内へ装着した使用時に、その義歯床（１Ａ）から情報記載片（２）が見苦しく露呈し、義歯（１）の外観化粧効果を阻害することは必至となる。
【０００９】
まして、金属板（２Ｄ）に情報（２Ａ１）を刻設又は打設した情報記載片（２）では、これの埋め込まれた義歯（１）が、いたづらに重量化してしまい、装着使用上の違和感を与える問題もある。
【００１０】
他方、後者の公知発明も既製の完成義歯を対象とし、その義歯床へ爾後的にレーザーを照射して印字する方法であり、やはりマーキングやバーコードを印字するためにだけ使う特別な高出力のＹＡＧレーザーや炭酸ガスレーザー、半導体レーザーなどと、その通常の歯科技工作業と異なる高度な操作も要求されることになる。
【００１１】
何れにしても、上記公知技術の場合老人ホームでの日常生活や、歯科医院と技工所との協働製作作業において、その有床義歯の持ち主を肉眼により特定・識別することの必要性につき、考慮されていないものである。
【００１２】
【課題を解決するための手段】
本発明はこのような課題の抜本的な解決を企図しており、先ず有床義歯の構成として、片仮名、平仮名又はアルファベットの一文字から形作られる凸字画部分とこれを除く胴体部分とが、有床義歯のレジン床と着色カラーのみが異なる同じ材質のアクリル樹脂やスルフォン樹脂、その他の適当な熱可塑性樹脂から予じめ一体成形されたネーム付与用活字の複数個を、
【００１３】
上記レジン床における装着使用時の目視困難となる部位へ、その凸字画部分が並列する状態として直かに埋設一体化した上、そのレジン床から張り出し残存する上記胴体部分を削除して、
【００１４】
上記レジン床から組み合わせ表出されることとなる凸字画部分の複数個により、肉眼での判読可能な持ち主のネームを付与したことを特徴とし、
【００１５】
又、有床義歯へのネーム付与方法として、組み合わせ表出されることになるネーム付与用活字の複数個を、有床義歯のレジン床と着色カラーのみが異なる同じ材質のアクリル樹脂から予じめ成形準備しておき、
【００１６】
先ず、蝋義歯のパラフィンワックス床を部分的に加熱軟化させて、その部位へ上記活字の凸字画部分を並列設置状態に埋め込み定着し、
【００１７】
その後、上記蝋義歯の埋没工程、流蝋工程並びに加熱レジン重合工程を経由することにより、そのパラフィンワックス床と置換されたレジン床から張り出し残存することになる上記活字の胴体部分を、最終的な研磨加工により悉く削除して、
【００１８】
その義歯のレジン床から上記活字の凸字画部分だけを表出させることを第１の特徴とし、
【００１９】
同じく組み合わせ表出されることになるネーム付与用活字の複数個を、有床義歯のレジン床と着色カラーのみが異なる同じ材質のアクリル樹脂又はスルフォン樹脂から予じめ成形準備しておき、
【００２０】
先ず、完成義歯のレジン床へ活字埋込み凹溝を部分的に穿設して、その内部へ常温での即時重合レジンを充填するとほぼ同時に、上記活字の凸字画部分を並列設置状態に埋め込み定着させ、
【００２１】
上記レジン床から張り出し残存することになる活字の胴体部分を、その即時重合レジンの冷却硬化後、研磨加工により悉く削除して、
【００２２】
その義歯のレジン床から上記活字の凸字画部分だけを表出させることを第２の特徴とする。
【００２３】
更に、上記有床義歯へのネーム付与用活字として、その構成上レジン床への埋込み深さ規制板と、これから後向きに一定高さだけ突出する片仮名、平仮名又はアルファベットの一文字と、同じく埋込み深さ規制板から前向きに、その一文字よりも背高い一定高さだけ突出する把手と、その把手の根元部から横向きに一定長さだけ突出する文字方向性の指定マーク片とが、上記レジン床と着色カラーのみが異なる同じ材質のアクリル樹脂やスルフォン樹脂、その他の適当な熱可塑性樹脂から一体成形されており、
【００２４】
上記一文字を凸字画部分として、有床義歯のレジン床へ埋め込む一方、その余の上記埋込み深さ規制板と把手並びに指定マーク片を同じくレジン床から張り出し残存することになる胴体部分として、悉く研磨加工により削除するように定めたことを特徴とするものである。
【００２５】
【発明の実施の形態】
以下、図面に基いて本発明の詳細を説明すると、図１〜４はその本発明に係る有床義歯（Ａ）へのネーム付与用活字（Ｐ）を示しており、これは義歯（Ａ）のレジン床（１０）と異なる白色や青色などの着色カラーを備えつつも、そのレジン床（１０）と親和性を保てる同じ材質のアクリル樹脂やスルフォン樹脂、その他の適当な熱可塑性樹脂から、次のような形態に一体成形されたものである。
【００２６】
即ち、（１１）は上記有床義歯（Ａ）に対する活字（Ｐ）の埋込み深さ規制板であって、一定な厚み（例えば約０．５mm〜１．０mm）と大きさ（例えば約４mm×４mm）の四角形をなしており、その四角形の平行な２辺が複数個の活字（Ｐ）を並列状態として、整然と埋め込むことに役立つ。
【００２７】
（１２）は上記埋込み深さ規制板（１１）の中央部から後向きに、一定高さ（Ｈ１）（例えば約１．５mm〜２．０mm）だけ突出する凸字画部分であり、片仮名、平仮名又はアルファベットの一文字から形作られている。しかも、その一文字は後方から見て、左右の逆画像を呈しており、有床義歯（Ａ）へ埋め込まれた状態を前方から見た時に初めて、正画像として判読できるようになっている。
【００２８】
他方、（１３）は同じく埋込み深さ規制板（１１）の中央部から前向きに、上記凸字画部分（１２）よりも背高い一定高さ（Ｈ２）（例えば約４mm〜５mm）だけ突出する把手であり、その根元部の直径が例えば約２mm程度のやや先細り円柱型を成している。
【００２９】
その把手（１３）を作業手の指先により直接に、又はピンセットなどの適当な道具を使って掴み乍ら、上記活字（Ｐ）の凸字画部分（１２）だけを有床義歯（Ａ）へ埋め込むようになっているのである。
【００３０】
しかも、把手（１３）の根元部からは上記凸字画部分（１２）における文字方向性の指定マーク片（１４）が、一定長さ（Ｌ）（例えば約１．０mm〜１．５mm）だけ横向きに突設されており、有床義歯（Ａ）に対する活字（Ｐ）の埋め込み時には前方から見えない上記凸字画部分（１２）の文字方向性を、その指定マーク片（１４）によって後方から知ることができ、複数個の活字（Ｐ）を悉く正確な指向並列状態として埋め込めるようになっている。
【００３１】
その場合、上記埋込み深さ規制板（１１）は凸字画部分（１２）の埋込み深さを一定に規制するストッパーとして、有床義歯（Ａ）の表面に安定良く係止する。そして、その埋込み深さ規制板（１１）と上記把手（１３）並びに指定マーク片（１４）が、活字（Ｐ）の凸字画部分（１２）を除く胴体部分（Ｂ）として、義歯（Ａ）の表面から張り出し残存することになり、そのため最終的な研磨加工を受けて削除される。
【００３２】
このようなネーム付与用活字（Ｐ）としては、その凸字画部分（１２）の一文字づつを備えた所謂バラ状態の単独品に一体成形してもさしつかえないが、その紛失防止や埋込み作業の便利化を図るため、図５〜７から明白なように、その凸字画部分（１２）を形作る片仮名、平仮名又はアルファベットの悉く同じ一文字づつが、上記埋込み深さ規制板（１１）から突出する活字（Ｐ）の複数個を、特にその規制板（１１）の隣り合う相互間においてのみ折り取り分割できる枢支連結状態に成形することが好ましい。その埋込み深さ規制板（１１）の隣り合う相互間をＶ溝（１５）の付与された薄肉状態として、ここから作業手の指先でも容易に折り取り分割できるようになっているのである。
【００３３】
何れにしても、上記構成として成形準備されたネーム付与用活字（Ｐ）は、有床義歯（Ａ）へ複数個の並列状態に埋設一体化されて、その凸字画部分（１２）を形作る一文字づつの組み合わせにより、持ち主のネーム（Ｎ）を表出することになる。
【００３４】
但し、その組み合わせ文字数が多きに過ぎると、義歯（Ａ）を口腔内へ装着使用した状態において、ネーム（Ｎ）が見苦しく露呈しやすくなる一方、一文字づつの大きさが小さく細かいと、老人の肉眼では判読し難くなるため、上記ネーム（Ｎ）としては持ち主の姓を付与し、その文字数を増加する必要がある場合でも、名のイニシャル（頭文字）となるアルファベットの一文字を、姓の前側又は後側へ付属させる程度にとどめることが望ましい。
【００３５】
本発明では上記活字（Ｐ）の使用により、有床義歯（Ａ）の製作当初から持ち主のネーム（Ｎ）を付与しておくことができ、又既製の完成している有床義歯（Ａ）へ、その爾後的な補修としてネーム（Ｎ）を付与することも可能である。
【００３６】
即ち、図８〜１９は有床義歯（Ａ）の製作工程を示しており、その当初から持ち主のネーム（Ｎ）を付与するに当っては、試適が終了している蝋義歯（Ｗ）のパラフィンワックス床（歯肉）（１６）を、先ず部分的に加熱して軟化させる。その軟化部位は完成後の義歯（Ａ）を口腔内へ装着使用した時、目視困難になる部位として、見苦しく露呈しないように定める。（１７）は人工歯、（１８）は石膏台である。
【００３７】
他方、目的のネーム（Ｎ）として組み合わせ使用される複数個の活字（Ｐ）を選び出し、その活字（Ｐ）の凸字画部分（１２）を悉く上記ワックス床（１６）の軟化部位へ、図８、９のような並列設置状態に埋め込む。
【００３８】
その作業時には各活字（Ｐ）の把手（１３）を掴み、その凸字画部分（１２）の文字方向性を指定マーク片（１４）の目視により整然と揃えると共に、埋込み深さ規制板（１１）を上記ワックス床（１６）の表面へ当てがい係止させることにより、その凸字画部分（１２）の埋込み深さが全体的な均一状態となるように定着させるのである。
【００３９】
万一、活字（Ｐ）の埋込み深さ規制板（１１）が蝋義歯（Ｗ）のワックス床（１６）に密着せず、その相互間隙が発生していると、後工程での泥状石膏（埋没材）が廻り込み進入して、美麗な仕上がり状態を得られなくなるため、念入りに検査する。
【００４０】
上記ワックス床（１６）の軟化部位が硬化し、その活字（Ｐ）が固定一体化したならば、次に蝋義歯（Ｗ）の埋没工程として、これを図１０のような下側フラスコ（１９）内の中央部に移し入れ、その泥状石膏（２０）中へ一次埋没させる。その際、上記ワックス床（１６）の辺縁部を下側フラスコ（１９）と、上側フラスコ（２１）とのパーティングライン（Ｏ−Ｏ）上に位置させることは、言うまでもない。
【００４１】
そして、一次埋没に供した上記泥状石膏（２０）が硬化したならば、上記蝋義歯（Ｗ）を引き続き図１１のように、上側フラスコ（２１）の泥状石膏（２２）中へ二次埋没させて、その両フラスコ（１９）（２１）を型締め状態に保った上、二次埋没の泥状石膏（２２）が硬化するまで放置しておく。
【００４２】
その後の流蝋工程において、両フラスコ（１９）（２１）を加熱してから型開きすることにより、上記蝋義歯（Ｗ）のワックス床（１６）を溶かし出せば、追ってこれと置換されるレジン床用の成形空間（キャビティ）（Ｃ）が生成する。
【００４３】
この状態では図１２、１３から明白なように、人工歯（１７）が上側フラスコ（２１）内の硬化した石膏（２２）に埋設一体化される一方、上記ネーム付与用活字（Ｐ）の凸字画部分（１２）だけが、レジン床用の成形空間（Ｃ）に張り出して、その活字（Ｐ）の残る胴体部分（Ｂ）は人工歯（１７）と同じく、上記石膏（２２）に埋設固定される結果となる。
【００４４】
そこで、次に加熱レジン重合工程として、上記レジン床用の成形空間（Ｃ）内へ図１４のように、餅状のレジン（Ｒ）を加圧充填し、型締め状態にある両フラスコ（１９）（２１）を加熱することにより、そのレジン（Ｒ）を重合させる。餅状レジン（Ｒ）を充填するためのスプールは、図示省略してある。
【００４５】
その義歯床用レジン（Ｒ）が硬化したならば、両フラスコ（１９）（２１）を型開きして、上記一次・二次埋没用の硬化している石膏（２０）（２２）を分解することにより、レジン床（１０）の成形された有床義歯（Ａ）として取り出すことができる。
【００４６】
その義歯（Ａ）のレジン床（１０）には図１５、１６から明白な通り、上記活字（Ｐ）の凸字画部分（１２）が埋設一体化されているが、その活字（Ｐ）の残る胴体部分（Ｂ）は未だレジン床（１０）から張り出す状態にあるため、最終工程として活字（Ｐ）の胴体部分（Ｂ）を悉く研磨加工することにより、その埋込み深さ規制板（１１）と把手（１３）並びに指定マーク片（１４）を削除して、活字（Ｐ）の凸字画部分（１２）とレジン床（１０）とを表面の平滑状態に仕上げる。
【００４７】
そうすれば、図１７〜１９のように活字（Ｐ）の凸字画部分（１２）が正画像として、義歯（Ａ）のレジン床（１０）から表出することとなり、その複数個の組み合わせから成る目的のネーム（Ｎ）を肉眼によって判読することができ、このことには上記活字（Ｐ）がレジン床（１０）と異なる着色カラーを備えていることも寄与する。
【００４８】
この点、図８〜１９の実施形態では下顎用の総義歯を示しているが、上顎用の総義歯や部分床義歯についても、上記と同じ工程を経由することにより、その製作当初から持ち主のネーム（Ｎ）を付与することができ、又そのネーム（Ｎ）の付与位置も図２０のようなレジン床（１０）の内表面に設定することができる。
【００４９】
何れにしても、上記ネーム付与用活字（Ｐ）は義歯（Ａ）のレジン床（１０）と同じ材質の熱可塑性樹脂から成形準備されたものであるため、これをそのレジン床（１０）の加熱重合と一挙同時に、しかも強固に埋設一体化することができ、耐用性に富むネーム（Ｎ）入りの有床義歯（Ａ）を得られる。
【００５０】
更に、図２１〜２９は既製の有床義歯（Ａ）に対するネーム（Ｎ）の付与工程を示しており、その完成義歯（Ａ）のレジン床（１０）へ持ち主のネーム（Ｎ）を付与する場合には、やはり組み合わせ並列使用される活字（Ｐ）の複数個とほぼ対応する大きさ並びに深さの活字埋込み凹溝（２３）を、先ずレジン床（１０）へ図２１のような細長い四角形に穿設する。
【００５１】
そのレジン床（１０）の穿設部位は、図８〜１９の実施形態と同様に、義歯（Ａ）を口腔内へ装着使用した状態において、見苦しく露呈しない部位として位置決めする。
【００５２】
次いで、上記活字埋込み凹溝（２３）内へ常温での即時重合レジン（２４）を充填すると共に、その直後に複数個の活字（Ｐ）を図２４〜２７のような並列設置状態に埋め込む。
【００５３】
その際、複数個の活字（Ｐ）をバラ状態での別個独立に埋め込んでもさしつかえないが、目的とするネーム（Ｎ）の文字数が多い場合には、その作業上煩らわしく、整然と揃えることが困難であるため、好ましくは図２１〜２３のような複数個の活字（Ｐ）に共通する１個の活字支持棒（２５）を、接着力のあるステッキワックスから予じめ作成準備しておき、その支持棒（２５）へ活字（Ｐ）の把手（１３）を悉く植え付けて、一挙同時に上記埋込み凹溝（２３）へ差し込むと共に、その直後に常温での即時重合レジン（２４）を充填する。
【００５４】
何れにしても、活字（Ｐ）の凸字画部分（１２）だけが上記レジン床（１０）へ埋め込み定着されることになり、その活字（Ｐ）の凸字画部分（１２）を除く胴体部分（Ｂ）は、レジン床（１０）の表面から張り出すため、上記常温重合レジン（２４）の硬化により、活字（Ｐ）が固定一体化されたならば、活字（Ｐ）の胴体部分（Ｂ）を悉く研磨加工して、その凸字画部分（１２）の埋込み深さ規制板（１１）と指定マーク片（１４）並びに把手（１３）を、図２８、２９のように削除する。上記活字支持棒（２５）もレジン床（１０）から取りはずされることは勿論である。
【００５５】
このようにして持ち主のネーム（Ｎ）が付与された有床義歯（Ａ）は、図８〜１９の製作当初からネーム（Ｎ）が付与されたそれと実質上同じ仕上がり状態となる。そのネーム付与用活字（Ｐ）は義歯（Ａ）のレジン床（１０）と同じ材質の熱可塑性樹脂から成るものとして、埋設強度と外観化粧効果に優れるばかりでなく、上記レジン床（１０）と異なる着色カラーにより、その活字（Ｐ）の凸字画部分（１２）から表出するネーム（Ｎ）を、肉眼での鮮明に判読することもできるのである。
【００５６】
【発明の効果】
以上のように、本発明の有床義歯（Ａ）では片仮名、平仮名又はアルファベットの一文字から形作られる凸字画部分（１２）とこれを除く胴体部分（Ｂ）とが、有床義歯（Ａ）のレジン床（１０）と着色カラーのみが異なる同じ材質のアクリル樹脂やスルフォン樹脂、その他の適当な熱可塑性樹脂から予じめ一体成形されたネーム付与用活字（Ｐ）の複数個を、
【００５７】
上記レジン床（１０）における装着使用時の目視困難となる部位へ、その凸字画部分（１２）が並列する状態として直かに埋設一体化した上、そのレジン床（１０）から張り出し残存する上記胴体部分（Ｂ）を削除して、
【００５８】
上記レジン床（１０）から組み合わせ表出されることとなる凸字画部分（１２）の複数個により、肉眼での判読可能な持ち主のネーム（Ｎ）を付与してあるため、冒頭に述べた従来技術の課題を解決でき、万一老人ホームでの置き忘れや、技工所から歯科医院への納品ミスなどが発生しても、その義歯（Ａ）の持ち主をネーム（Ｎ）から肉眼によって特定・識別し得ることになり、老人の日常生活のみならず、歯科医院と技工所との協働作業による有床義歯（Ａ）の製作上、著しく便利である。
【００５９】
又、そのネーム（Ｎ）を付与するための活字（Ｐ）と、義歯（Ａ）のレジン床（１０）とは同じ材質のアクリル樹脂やスルフォン樹脂などの熱可塑性樹脂から成るため、上記活字（Ｐ）の耐久的な埋設強度と優美な外観化粧状態を得られ、しかもレジン床（１０）と異なる活字（Ｐ）の着色カラーによって、そのネーム（Ｎ）を鮮明に判読できる効果もある。
【００６０】
そして、請求項２に記載のネーム付与方法によれば、歯科技工所に常備されているありふれた機械器具と慣れた常法を使用して、有床義歯（Ａ）の製作当初からレジン床（１０）へ、その加熱重合と一挙同時にネーム付与用活字（Ｐ）を埋設一体化でき、やはり常法の最終的な研磨加工を経て、持ち主のネーム（Ｎ）を優美な付与状態に仕上げ得る効果があり、実用性に優れる。
【００６１】
他方、請求項３に記載のネーム付与方法によれば、既製の完成した有床義歯（Ａ）に対しても、やはり技工所での慣れた手技によって、そのレジン床（１０）へ後付け式に持ち主のネーム（Ｎ）を容易に付与することができ、従来技術ような特別のパソコンやラミネーター、レーザーなどを要さず、加工上のコストダウンに著しく役立つ。
【００６２】
その場合、請求項４に記載のネーム付与方法を採用するならば、ネーム付与用活字（Ｐ）の複数個を義歯（Ａ）のレジン床（１０）へ、ますます便利良く且つ全体的に揃った並列状態として埋め込むことができ、その作業性の向上に役立つ。
【００６３】
更に、請求項５に記載されたネーム付与用活字（Ｐ）の構成では、その把手（１３）を直かに又は適当な道具の使用により掴み、凸字画部分（１２）の文字方向性を指定マーク片（１４）の目視により整然と揃え乍ら、しかもその凸字画部分（１２）の埋込み深さを規制板（１１）での一定に保った状態として、有床義歯（Ａ）のレジン床（１０）へ極めて容易に正しく埋め込むことができ、その作業性に優れる。
【００６４】
殊更、請求項６の構成を採用するならば、選び出し使用される文字の頻度に応じて、その活字（Ｐ）を合理的に量産することができるほか、埋込み深さ規制板（１１）の隣り合う相互間において折り取り分割することにより、便利良く使える効果もある。
【図面の簡単な説明】
【図１】本発明のネーム付与用活字を示す斜面図である。
【図２】図１の正面図である。
【図３】図２の背面図である。
【図４】図２の平面図である。
【図５】複数個の連結状態に成形された活字を示す正面図である。
【図６】図５の背面図である。
【図７】図５の平面図である。
【図８】蝋義歯のパラフィンワックス床に対する活字の埋込み状態を示す断面図である。
【図９】図８の部分拡大正面図である。
【図１０】蝋義歯の一次埋没工程を示す断面図である。
【図１１】同じく蝋義歯の二次埋没工程を示す断面図である。
【図１２】流蝋工程を示す断面図である。
【図１３】図１２の１３−１３線に沿う部分拡大断面図である。
【図１４】加熱レジン重合工程を示す断面図である。
【図１５】レジン床が成形された有床義歯を示す断面図である。
【図１６】図１５の部分拡大断面図である。
【図１７】活字の研磨状態を示す断面図である。
【図１８】ネームが付与された有床義歯の完成品を示す側面図である。
【図１９】図１８の斜面図である。
【図２０】レジン床の内表面にネームが付与された有床義歯の斜面図である。
【図２１】完成義歯のレジン床に対する活字埋込み凹溝の穿設状態を示す斜面図である。
【図２２】複数個の活字を活字支持棒に植え付けた状態の正面図である。
【図２３】図２２の２３−２３線断面図である。
【図２４】活字埋込み凹溝に対する活字の埋込み状態を示す斜面図である。
【図２５】図２４の２５−２５線断面図である。
【図２６】図２４の部分拡大正面図である。
【図２７】図２６の２７−２７線に沿う拡大断面図である。
【図２８】活字の研磨状態を示す断面図である。
【図２９】ネームが後付けされた有床義歯の側面図である。
【符号の説明】
（１０）・レジン床
（１１）・埋込み深さ規制板
（１２）・凸字画部分
（１３）・把手
（１４）・指定マーク片
（１６）・パラフィンワックス床
（１７）・人工歯
（１８）・石膏台
（１９）・下側フラスコ
（２０）・一次埋没用泥状石膏
（２１）・上側フラスコ
（２２）・二次埋没用泥状石膏
（２３）・活字埋込み凹溝
（２４）・即時重合レジン
（２５）・活字支持棒
（Ａ）・有床義歯
（Ｂ）・胴体部分
（Ｃ）・成形空間（キャビティ）
（Ｎ）・ネーム
（Ｐ）・ネーム付与用活字
（Ｒ）・義歯床用レジン
（Ｗ）・蝋義歯
（Ｏ−Ｏ）・パーティングライン
（Ｌ）・長さ
（Ｈ１）・（Ｈ２）・高さ
【図１】
0003665761.tif 000002
【図２】
0003665761.tif 000003
【図３】
0003665761.tif 000004
【図４】
0003665761.tif 000005
【図５】
0003665761.tif 000006
【図６】
0003665761.tif 000007
【図７】
0003665761.tif 000008
【図８】
0003665761.tif 000009
【図９】
0003665761.tif 000010
【図１０】
0003665761.tif 000011
【図１１】
0003665761.tif 000012
【図１２】
0003665761.tif 000013
【図１３】
0003665761.tif 000014
【図１４】
0003665761.tif 000015
【図１５】
0003665761.tif 000016
【図１６】
0003665761.tif 000017
【図１７】
0003665761.tif 000018
【図１８】
0003665761.tif 000019
【図１９】
0003665761.tif 000020
【図２０】
0003665761.tif 000021
【図２１】
0003665761.tif 000022
【図２２】
0003665761.tif 000023
【図２３】
0003665761.tif 000024
【図２４】
0003665761.tif 000025
【図２５】
0003665761.tif 000026
【図２６】
0003665761.tif 000027
【図２７】
0003665761.tif 000028
【図２８】
0003665761.tif 000029
【図２９】
0003665761.tif 000030